(57)【要約】      （修正有）【課題】棚に陳列された商品をより目立たせることができる広告情報出力装置を提供する。【解決手段】記録媒体を介して又は通信により入力された、画像情報や音声情報を含む広告情報から、画像信号や音声信号を生成して出力する画像信号出力手段と、光源６と、この光源からの光を照明光ＳＬＴとして背面の商品２１に出射する出光部７と、照明光の出射を制御する制御部とを備えた。【選択図】図１１
2008185675.tif 000002
【特許請求の範囲】
【請求項１】
記録媒体を介して又は通信により入力された、少なくとも画像情報を含む広告情報から画像信号を生成して出力する画像信号出力手段と、
光源と、
該光源からの光を外部に照明光として出射する出光部と、
前記照明光の出射を制御する制御部と、を備えた広告情報出力装置。
【請求項２】
前記画像信号に基づいた画像を表示する画像表示手段を備えたことを特徴とする請求項１記載の広告情報出力装置。
【請求項３】
記録媒体を介して又は通信により入力された、少なくとも音声情報を含む広告情報から音声信号を生成して出力する音声信号出力手段と、
光源と、
該光源からの光を照明光として出射する出光部と、
前記照明光の出射を制御する制御部と、を備えた広告情報出力装置。
【請求項４】
前記音声信号に基づいた音声を出力する音声出力手段を備えたことを特徴とする請求項３記載の広告情報出力装置。
【請求項５】
前記制御部は、前記広告情報に基づいて前記照明光の出射を制御することを特徴とする請求項１乃至４のいずれか１項に記載の広告情報出力装置。
【請求項６】
記録媒体を介して又は通信により、前記照明光の出射を制御する照明制御信号が入力され、
前記制御部は、前記照明制御信号に基づいて前記照明光の出射を制御することと特徴とする請求項１乃至４のいずれか１項に記載の広告情報出力装置。
【請求項７】
人感センサを備え、
前記制御部は、前記人感センサからの出力信号に基づいて前記照明光の出射を制御することを特徴とする請求項１乃至４のいずれか１項に記載の広告情報出力装置。
【請求項８】
前記制御部は、前記照明光の出射の制御において、点灯及び消灯，光量，または色調を制御することを特徴とする請求項１乃至７のいずれか１項に記載の広告情報出力装置。
【請求項９】
略箱状の筐体を備え、
該筐体の１面に前記画像表示手段による画像が表示されると共に、前記出光部が前記１面とは異なる面に設けられていることを特徴とする請求項２記載の広告情報出力装置。
【請求項１０】
前記制御手段を収容する略箱状の筐体を有する本体部と、
前記光源及び出光部を有する照明部と、を備え、
前記照明部は、前記本体部に対して着脱自在とされていることを特徴とする請求項１記載の広告情報出力装置。
【請求項１１】
前記制御手段を収容する略箱状の筐体を有する本体部と、
前記光源及び出光部を有する照明部と、を備え、
前記照明部と前記本体部とは、フレキシブル連結部を介して連結されていることを特徴とする請求項１記載の広告情報出力装置。
【発明の詳細な説明】
【技術分野】
【０００１】
本発明は広告情報出力装置に係り、特に、店舗の商品陳列棚等に設置され、陳列された商品に関する画像や音声などの広告情報を出力する広告情報出力装置に関する。
【背景技術】
【０００２】
スーパーマーケットやコンビニエンスストア等の店舗においては、商品陳列棚の近傍に、画像を表示するモニタや音声を出力するテープレコーダ等を配置し、その棚の商品の広告を映像（静止画像を含む）や音声で買い物客に案内することが日常的に行われてきた。
【０００３】
この用途において、特に最近は、案内する内容を容易に更新でき耐久性にも優れた半導体メモリを用い、商品の広告情報である広告画像や広告音声などを、内蔵した画像表示装置（モニタ）やスピーカから出力したり、外部のモニタやスピーカに対して信号として出力する広告情報出力装置が広く用いられるようになってきた。
【０００４】
この広告情報出力装置の一例である広告画像表示装置が、本願出願人が出願した特開２００６−３０９１３２号公報（特許文献１）に記載されている。
【特許文献１】特開２００６−３０９１３２号公報
【発明の開示】
【発明が解決しようとする課題】
【０００５】
ところで、このような広告情報出力装置は、その普及に伴い様々な場所に設置されるようになった。
特に、照明環境について着目すると、照明器具が取り付けられた天井が高かったり、あるいは、照明器具と設置場所との間に遮蔽物があって設置場所周辺に十分な照明が届かず、暗がりになっている、という状況があり得る。
また、広告情報が画像の場合、表示画像をより鮮明に買い物客に提供するために、店舗側で意図的に周囲をやや暗くする、という演出が行われることも予想される。
また、この装置は、通常、広告すべき陳列商品の直前（手前側）に設置されるので、店舗の照明位置によっては、背後の陳列商品がこの装置の陰になって目立たなくなることが懸念される。
【０００６】
このように、従来の広告情報出力装置は、陳列された商品を目立たせることについて特に配慮されたものではないので、この点で更なる改善が可能なものであった。
【０００７】
そこで、本発明が解決しようとする課題は、棚に陳列された商品をより目立たせることができる広告情報出力装置を提供することにある。
【課題を解決するための手段】
【０００８】
上記の課題を解決するために、本願発明は、次の１）〜１１）の手段を有する。
１）  記録媒体（１１）を介して又は通信により入力された、少なくとも画像情報を含む広告情報から画像信号（Ｓ２，Ｓ３）を生成して出力する画像信号出力手段（１２）と、
光源（６）と、
該光源（６）からの光（ＬＴ）を外部に照明光（ＳＬＴ）として出射する出光部（７）と、
前記照明光（ＳＬＴ）の出射を制御する制御部（１３）と、を備えた広告情報出力装置（５０）である。
２）  前記画像信号（Ｓ２，Ｓ３）に基づいた画像を表示する画像表示手段（２）を備えたことを特徴とする１）に記載の広告情報出力装置（５０）である。
３）  記録媒体（１１）を介して又は通信により入力された、少なくとも音声情報を含む広告情報から音声信号（Ｓ１）を生成して出力する音声信号出力手段（１２）と、
光源（６）と、
該光源（６）からの光（ＬＴ）を照明光（ＳＬＴ）として出射する出光部（７）と、
前記照明光（ＳＬＴ）の出射を制御する制御部（１３）と、を備えた広告情報出力装置（５０）である。
４）  前記音声信号（Ｓ１）に基づいた音声を出力する音声出力手段（３）を備えたことを特徴とする３）に記載の広告情報出力装置（５０）である。
５）  前記制御部（１３）は、前記広告情報に基づいて前記照明光（ＳＬＴ）の出射を制御することを特徴とする１）乃至４）のいずれかに記載の広告情報出力装置（５０）である。
６）  記録媒体（１１）を介して又は通信により、前記照明光（ＳＬＴ）の出射を制御する照明制御信号（Ｓ４）が入力され、
前記制御部（１３）は、前記照明制御信号（Ｓ１４）に基づいて前記照明光（ＳＬＴ）の出射を制御することと特徴とする１）乃至４）のいずれかに記載の広告情報出力装置（５０）である。
７）人感センサ（２２）を備え、
前記制御部（１３）は、前記人感センサ（２２）からの出力信号に基づいて前記照明光（ＳＬＴ）の出射を制御することを特徴とする１）乃至４）のいずれかに記載の広告情報出力装置（５０）である。
８）  前記制御部（１３）は、前記照明光（ＳＬＴ）の出射の制御において、点灯及び消灯，光量，または色調を制御することを特徴とする１）乃至７）のいずれかに記載の広告情報出力装置（５０）である。
９）  略箱状の筐体（１）を備え、該筐体（１）の１面（１ＳＭ）に前記画像表示手段（２）による画像が表示されると共に、前記出光部（７）が前記１面（１ＳＭ）とは異なる面（４）に設けられていることを特徴とする２）に記載の広告情報出力装置（５０）である。
１０）  前記制御手段（１３）を収容する略箱状の筐体（１）を有する本体部（５０Ｈ）と、
前記光源（６）及び出光部（７）を有する照明部（５５）と、を備え、
前記照明部（５５）は、前記本体部（５５Ｈ）に対して着脱自在とされていることを特徴とする１）に記載の広告情報出力装置（５０）である。
１１）  前記制御手段（１３）を収容する略箱状の筐体（１）を有する本体部（５０Ｈ）と、
前記光源（６）及び出光部（７）を有する照明部（５５）と、を備え、
前記照明部（５５）と前記本体部（５０Ｈ）とは、フレキシブル連結部（５６）を介して連結されていることを特徴とする１）に記載の広告情報出力装置（５０）である。
【発明の効果】
【０００９】
本発明によれば、棚に陳列された商品を目立たせることができる、という効果を奏する。
【発明を実施するための最良の形態】
【００１０】
本発明の実施の形態を、好ましい実施例により図１〜図２４を用いて説明する。
【００１１】
実施例の広告情報出力装置５０については、以下、単に装置５０とも称する。
【００１２】
外観を示した図１〜図６において、この広告情報出力装置５０は、前筐体１Ｆと後筐体１Ｂとが分割部１Ｋで組み合わされて略箱状とされた筐体１を有している。
【００１３】
筐体１の正面１ＳＹＭとなる面には、開口部１ＫＫが形成されており、この開口部１ＫＫから液晶などを用いた表示素子２の画像表示面２ａが視認される。
正面１ＳＹＭの中央部におけるこの開口部１ＫＫを囲む枠状領域は、左右の端部側よりも突出した枠部１ＷＢとされている。
この枠部１ＷＢは、前筐体１と一体であっても別体としてもよいものであり、実施例においては、別体とされたものである。
また、この枠部１ＷＢにおける開口部１ＫＫの近傍には、電源の入／切を点灯／消灯で示すＬＥＤインジケータ５ｆが配設されている。
また、上面１ＪＭには、再生出力中の広告情報を、最初から再生し直す際に押す頭出しスイッチ５ｇが配設されている。
【００１４】
左右の側面１ＳＭには、内蔵したスピーカ３からの音声が出力される音孔部３ａがそれぞれ設けられており、２ｃｈのステレオ音声が外部に出力される。
右側面図である図３において、後筐体１Ｂにおける上方側（図３の上方側）には、角部が面取りされた傾斜面部４が形成されている。
この傾斜面部４は、画像が視認される開口部１ＫＫが設けられた面とは異なる面に設けられる。
【００１５】
また、底面１ＴＭには、調整用操作子や入出力端子が配設されている（図４参照）。
具体的には、音量調節ボリューム５ａ，オーディオ／ビデオの入力端子５ｂ及び出力端子５ｃである。
【００１６】
また、背面１ＨＭには、外部からの電源入力部５ｄ（ＤＣ１２Ｖ）が設けられる一方、背面１ＨＭから底面１ＴＭにかけてＬ字状とされ、内部に挿抜可能に装着されたメモリーカード（ＳＤメモリーカードなど）を交換する際に脱着する蓋５ｅが設けられている。
さらに、この装置５０を商品陳列棚に設置する際に使用する固定具１４（後述する）を取り付けるための雌ねじ２０が４カ所設けられている。
この雌ねじ２０を利用して、後述する雄ねじ１６によりこの装置５０に固定具１４が一体化されるが、装置５０は、棚に設置するための設置具を一体的に備えていてもよい。
【００１７】
また、傾斜面部４には、内部に備えられた光源（詳細は後述する）６からの光ＬＴを外部に照明光ＳＬＴとして出射する窓である出光部７が設けられている。
この実施例においては、この出光部７は、左右方向のほぼ中央に１カ所設けられている。
【００１８】
次に、この装置５０の内部の概略構造について図８及び図９を主に用いて説明する。
ここで、図８は図２におけるＡ−Ａ断面図であり、図９はＢ−Ｂ断面図である。
【００１９】
図８において、枠部１ＷＢの液晶素子２の後側には、この液晶素子２を駆動するドライブ基板８が隣接配置されている。
また、筐体１内の背面１ＨＭ側には、後述する照明制御回路などを搭載した基板９が配設されている。
【００２０】
この基板９にはメモリーカード用のスロット１０が設けられ、メモリーカード１１が装着されている。
また、筐体１内の左右の側面１ＳＭ側には、それぞれスピーカ３が配設されている。
各基板８，９，スピーカ３，液晶素子２などは、図示しないワイヤなどで電気的に接続されている。
【００２１】
図９において、基板９の傾斜面部４に対応する位置である上方端部には、ＬＥＤなどの光源６が取り付けられている。
この光源６に対向する傾斜面部４には、光を拡散させつつ透過する拡散板７ａが出光部７に設けられており、光源６からの光ＬＴは、背面側の上方に向け主として上下方向はＨｈ，幅方向はＨｗの範囲に照明光ＳＬＴとして照射される（図６及び図９参照）。
【００２２】
この広告画像表示装置５０は、例えば図１０（ａ）に示すように、その背面１ＨＭに設けられた雌ねじ２０に雄ねじ１６を用いて装着された固定具１４を用いて、商品陳列棚１５に設置される。
また、他の例としては、図１０（ｂ）に示すように、装置５０と一体的に開閉可能に設けられたスタンドＳＴＤにより、棚上に設置される。
以下、代表として固定具１４を用いた場合の設置について説明する。
図１１はその設置状態の一例を示しており、棚上に固定具１４を載せ、その上に商品２１などを載置することで陳列棚１５に設置される。
【００２３】
この状態において、実施例の広告画像表示装置５０は、出光部７から外部に照明光ＳＬＴを出射し、その照明光ＳＬＴによって背後の商品２１を照明することができるので、陳列した商品２１を、他よりもはるかに目立たせることができる。
図１１においては、商品２１の照明される範囲を照明範囲ＳＭＨとして記載してある。
【００２４】
ここで、光源６は、上下方向または左右方向に取り付け角度を調整できるよう取り付けるのが好ましい。この調整により、出射中心を任意の方向に設定することができるので、背後の商品の位置によらず、その照明したい部分を最適に照明することが可能となる。
このように光源６の角度を調整できる取り付け構造の例を、図１２に示す。
【００２５】
図１２において、光源であるＬＥＤ６は、一対の腕部７０ａを有するコ字状の保持金具７０に固定されており、この保持金具７０は、腕部７０ａを貫通する回動軸７１の回りに所定の回動抵抗をもって回動自在となるようベースブラケット７２により支持されている。
ベースブラケット７２は、傾斜面部４の内側面に固定されている。
【００２６】
また、保持金具７０には、扇状のノブ７３が一体的に取り付けられている。
このノブ７３は、その一部が筐体１の外部に露出しており、この露出した部位を外部から動かすことによってＬＥＤ６の上下方向の角度を矢印ＹＪのように変えることができる。
従って、出光部７からの出光角度を変えることができる。
なお、当図１２においては、拡散板７ａは省略してある。
【００２７】
陳列棚１５の形態や設置部位の状況によって設置した広告情報出力装置５０と商品２１との位置関係が異なる場合や、広告する商品２１の大きさによって照射に適した設置位置が異なる場合があるが、この取り付け構造例によれば、ノブ７３を動かすことでＬＥＤ６からの光の照射角度を調整することができるので、より適切に商品２１を照明することができる。
【００２８】
商品２１を照明する際には、照射部位が商品２１のラベルとなるようにすれば商品名を目立たせることができ、また、商品２１に光を反射する部位があれば、そこを照射することで商品２１をより美しく見せることができる。
【００２９】
次に、この広告情報出力装置の具体的な構成について、ブロック図である図７を用いて説明する。
【００３０】
カードスロット１０に挿入されたメモリーカード１１には、予め、ＪＰＥＧ方式やＭＰＥＧ方式などの圧縮方式で圧縮された、商品広告の、音声情報，静止画像情報，または動画像情報が記憶されている。
この圧縮された各情報は、メモリーカード１１から読み出されてデコーダ１２により伸張され、それぞれ音声信号Ｓ１，静止画像信号Ｓ２，動画像信号Ｓ３として出力される。
デコーダ１２による伸張を経て出力された各信号Ｓ１〜Ｓ３の内、静止画像信号Ｓ２及び動画像信号Ｓ３は、表示素子２に送出されて表示される。
この静止画像信号Ｓ２及び動画像信号Ｓ３は、出力端子５ｂを介して外部に出力される。
【００３１】
一方、デコーダ１２により伸張された音声信号Ｓ１は、スピーカ３に送出され音声として出力される。
この音声信号Ｓ１も、出力端子５ｂを介して外部に出力される。
すなわち、この広告情報出力装置５０は、広告情報を、静止画像又は動画像である画像信号として、内蔵した画像出力部に対して、または、外部の機器に対して出力するものである。
また、同様に、広告情報を、音声信号として、内蔵した音声出力部に対して、または、外部の機器に対して出力するものである。
一方、音声信号Ｓ１は、照明制御部１３にも送られる。
【００３２】
照明制御部１３は、この音声信号Ｓ１や照明制御信号Ｓ４に基づいて光源６の発光を制御する。
この発光制御について、いくつかの例を基に説明する。
【００３３】
（制御例１）
この例は、照明制御部１３が、広告情報出力装置５０に通電状態において、常に光源６に所定の電圧を印加してこれを点灯させる制御例である。
この点灯により出射した光は、拡散板７ａにより拡散されて照明光ＳＬＴとして外部に出光する。
この出光により、図１１を用いて上述したように、広告情報出力装置５０の背後にある商品２１（例えば缶飲料）が通電時に常時照明される。
【００３４】
（制御例２）
この例は、照明制御部１３が、ＬＥＤ６を所定の時間間隔Ｔで点滅させる制御例である。
これは、図１３に示すように、例えばＴを１秒として点灯（ＯＮ）・消灯（ＯＦＦ）を繰り返すので、照明される商品のアピール効果を更に高めることができる。
【００３５】
（制御例３）
ＬＥＤとして、ＲＧＢの３色のＬＥＤ素子が一つのパッケージに封入されたいわゆるフルカラーＬＥＤあるいは３色ＬＥＤと呼称されるものがある。
このフルカラーＬＥＤは、ＲＧＢの３つのＬＥＤ素子の駆動電圧や駆動パルス幅を調整することにより任意の色で発光させることができるものであり、このような制御を行うフルカラーＬＥＤ用駆動ＩＣも知られている。
【００３６】
この制御例３は、光源６としてフルカラーＬＥＤを使用し、照明制御部１３で３色のＬＥＤ素子の各駆動電圧や各駆動パルスを制御することにより、発光色を、所定の時間Ｔ１〜Ｔｎで順次変化させる例である。
例えば、図１４に示すように、Ｔ１＝Ｔ２＝・・・＝Ｔｎ＝１秒とし、発光色を、赤，橙，黄，緑，青，藍，紫，・・・と順次変化させて点灯する。これにより照明される商品のアピール効果を更に高めることができる。
【００３７】
（制御例４）
この例は、照明制御部１３が、デコーダ１２から送出される音声信号Ｓ１に基づいてＬＥＤ６の発光を制御する例である。
さらに具体的には、音量に基づく発光制御であって、図１５を用いて説明する。
【００３８】
図１５（ａ）は、音声信号Ｓ１における音量に対応する波形であり、図１５（ｂ）は、照明制御部１３によるＬＥＤ６の制御パターンを示している。
ここで、照明制御部１３は、音声信号Ｓ１の音量が、予め設定された、あるいは、外部からの指示により設定されたしきい値を超えた場合にＬＥＤ６を点灯し、音量がしきい値以下の場合に消灯するよう制御する。
これにより、スピーカ３から出力される広告音声の音量に応じて、照明光ＳＬＴを点滅するので、照明される商品のアピール効果を更に高めることができる。
【００３９】
（制御例５）
この例は、照明制御部１３が、デコーダ１２から送出される音声信号Ｓ１に基づいてＬＥＤ６の発光を制御する他の例である。
具体的には、音声信号Ｓ１における音量に対して複数のしきい値を設定すると共に、それぞれのしきい値に対応した色調を設定してＬＥＤ６の色調を変化させる制御である。
【００４０】
図１６（ａ）は、音声信号Ｓ１における音量を示す波形であり、設定された第１〜第３のしきい値を併せて表示している。
図１６（ｂ）は、照明制御部１３によるＬＥＤ６の制御パターンを示している。
具体的には、照明制御部１３は、音声信号Ｓ１における音量が、第１のしきい値以下の場合にＬＥＤ６を消灯し、第１のしきい値を超え第２のしきい値以下の場合にＬＥＤ６を橙色で点灯させ、第２のしきい値を超え第３のしきい値以下の場合にＬＥＤ６を緑色で点灯させ、第３のしきい値を超えた場合に青色で点灯させるように制御する。
【００４１】
この制御により、スピーカ３から出力される広告音声の音量に応じて、照明光ＳＬＴが点滅するばかりでなく、その色調が変化するので、照明される商品のアピール効果を色彩豊かに高めることが出来る。
この例の変形例として、色調の替わりに光量を制御するものでもよく、また、色調と光量とを組み合わせて制御するものでもよい。
【００４２】
（制御例６）
この例は、照明制御部１３が、時刻，日付，または曜日に応じて照明光ＳＬＴの光量や色調を制御する例である。
【００４３】
具体例としては、照明制御部１３にタイマーを設け、図１７（ａ）に示すように、朝（９：００〜１１：００）は黄色、昼（１１：００〜１４：００）は橙色、夕方（１４：００〜１９：００）は緑色、夜（１９：００〜２２：００）は紫色、というようにＬＥＤ６の発光色を制御する。
【００４４】
他の具体例としては、照明制御部１３にカレンダー機能を設け、図１７（ｂ）に示すように、月曜日〜金曜日は緑色、土曜日は黄色、日曜日は橙色、というようにＬＥＤ６の発光色を制御する。
【００４５】
このような制御により、時刻，日付,または曜日に応じて照明光の色が変化するので、買い物客は、店舗を訪れるたびに異なる色で照明された商品を見ることになって飽きにくく、商品のアピール効果が経時的に維持できる。
【００４６】
（制御例７）
照明制御のトリガーとなる照明制御情報は、上述した制御例で説明したような音量や日付等以外に、以下に説明するような照明制御信号として照明制御部１３に提供されてもよい。
具体的には、この装置５０に装着されるメモリーカード１１に、広告情報と共に予め照明制御情報を記憶させておく。
【００４７】
図７において、メモリーカード１１に記憶された照明制御情報は、デコーダ１３から照明制御信号Ｓ４として照明制御部１３に送られる。
照明制御信号Ｓ４は、例として、図１８（ａ）に示すようなＬＥＤ６の点滅を指示する信号や、図１８（ｂ）に示すようなＬＥＤ６の点滅及び色調を指示する信号とすることができる。もちろん、これらに限るものではない。
【００４８】
この照明制御信号Ｓ４は、広告情報に対して独立した情報としてメモリーカード１１に記憶させることができ、また、画像信号Ｓ１，Ｓ２などに重畳して記憶させることもできる。
例えば、ＪＰＥＧ方式でデジタル化された画像信号Ｓ１，Ｓ２のヘッダ部分に照明制御のためのコードを書き込むことで、フレーム単位で照明制御信号Ｓ４を重畳させることができる。
照明制御部１３は、この照明制御信号Ｓ４に基づいてＬＥＤ６の発光を制御する。
【００４９】
このように、商品をどのように照明するかの制御は、広告情報と独立に制御することも可能であるし、広告情報の内容に関連づけられ、その広告情報に応じて制御することも可能である。
画像信号に基づいて照明を制御する場合には、例えば、画像の輝度レベルに応じて光源６の点灯／消灯を制御したり、色調を制御することができる。
また、画像として表示される特定の文字や絵柄を検出し、検出結果に応じて光源６の点灯／消灯、あるいは、色調を制御するようにしてもよい。
【００５０】
これにより、広告情報、換言するならば、広告画像や広告音声に応じた照明を行うことができるので、例えば、商品の広告画像を買い物客に表示提供しているときにその商品を照明したり、広告音声において商品名が読み上げられたときにその商品を点滅照明したり、という効果的な照明演出を実行することができる。
従って、広告すべき商品のアピール効果をより高めることが出来る。
【００５１】
（制御例８）
この制御例８を行う場合は、装置５０における筐体１の正面１ＳＭに人感センサ２２（図１参照）が設けておく。
この人感センサ２２は、生体から出る熱放射を検知することで周囲に人間などがいることを検知するものである。
この人感センサ２２を備えて制御例８を実行する広告情報出力装置５０のブロック構成図を図１９に示す。
【００５２】
図１９において、人感センサ２２の検知信号Ｓ５は、照明制御部１３に送出される。
照明制御部１３は、人感センサ２２の検知信号がＯＮのとき、すなわち、周囲に買い物客がいるときは、上述した制御例１〜制御例７でＬＥＤ６を制御し、商品に対して照明を行う。
【００５３】
一方、人感センサ２２の検知信号がＯＦＦのとき、すなわち、周囲に買い物客がいないときは、ＬＥＤ６を消灯して商品に対する照明を行わない。
これにより、消費電力を削減することができるだけでなく、買い物客が接近したことで商品が照明されるので、商品のアピール効果を更に高めることが出来る。
【００５４】
ところで、広告情報出力装置５０は、棚に陳列された商品の邪魔にならないよう小型化されることが望まれるものであり、図２０に示すように、通常は、陳列棚１５の下棚１５ｂに取り付けられる〔図２０の（Ａ）位置〕が、上棚１５ａに取り付けられる場合〔図２０の（Ｂ）位置〕、左支枠１５ｃに取り付けられる場合〔図２０の（Ｃ）位置〕、右支枠１５ｄに取り付けられる場合〔図２０の（Ｄ）位置〕もある。
ここで、（Ａ）と（Ｂ）と、及び、（Ｃ）と（Ｄ）とについては、装置５０の向きを逆転して各位置に取り付けることができる。従って、この装置５０には、買い物客から見て画面が常に正立するように、画像反転機能が設けられている。
なお、図２０においては、商品２１に対して（Ａ）位置に設置された装置５０から斜め上方に向けて照明した場合を示しているが、他の位置からの照明も同様に行われる。具体的には、（Ｂ）位置からは斜め下方、（Ｃ）位置からは斜め右方、（Ｄ）位置からは斜め左方に向けて照明される。
【００５５】
左右の支枠１５ｃ，１５ｄに取り付けられる（Ｃ），（Ｄ）位置においては、実施例の広告情報出力装置５０の場合、表示画面が縦長になるが、その縦長画面の広告情報を作成することで同様に広告宣伝効果を得ることができる。
【００５６】
図２０からわかるように、照明したい商品２１の位置、あるいは、照明すべき照明部位２１ａは、広告情報出力装置５０の真後ろではなく、斜め後方に位置するのが通常である。
従って、筐体１を傾斜面部４の無い略６面体とし、その背面１ＨＭに出光部７を設けて、照明光ＳＬＴを斜め後方に向けて出射させるものでもよいが、実施例のように、背面１ＨＭと上面１ＪＭとの稜線部に傾斜面部４を形成し、その傾斜面部４に出光部７を設け、出射方向に概ね直交する方向に拡散板７ａを配設するのと出光効率が良いので、より好ましい。
【００５７】
一方、装置５０を陳列棚１５の下棚１５ａに取り付ける（Ａ）位置の場合において、買い物客からその広告画面がより見易くなるように、装置５０を画面がやや上向きとなるように傾斜設置する場合も多い。
この状態を図２１に示す。
【００５８】
この図２１において、商品２１の照明すべき部位（照明部位２１ａ）であるラベル２１ｂを照明しようとする場合、出光部７を、装置５０における背面１ＨＭの下部側に取り付けると（ＫＢ位置）、そこからの照明光ＳＬＴ２を照明部位２１ａに向けて出射する角度βは、背面１ＨＭに対してかなりの鋭角となるので良好に照明することは難しい。
従って、この傾斜設置する例においても、広告画像表示装置５０の出光部７は、筐体１の背面１ＨＭにおける上部にあることが望ましく、さらに、傾斜面部４を設けてそこに配設することがより望ましい。
【００５９】
以上詳述したように、実施例の広告情報出力装置５０は、広告情報を記録したメモリーカードなどの記録媒体から広告情報を読み出して音声信号や画像信号として出力する信号出力手段と、使用状態において、陳列された広告商品と対向する面に設けられてその商品を照明する照明手段と、を備えており、陳列商品を照明してより目立たせることができる。
【００６０】
また、この陳列商品照明作用により、陳列棚を含めた売場の雰囲気が明るくなるので、店舗内での犯罪発生に対して防止効果が得られる。
【００６１】
また、陳列棚に陳列された商品が少なくなった場合においても、棚の奥にある商品も照明して、買い物客からの被視認性を向上させることができるので、陳列商品数の多少によらず販売を促進することができる。
【００６２】
また、この装置５０を設置した陳列棚は、照明器具を不要とすることもできる。
【００６３】
以上の説明において、広告情報出力装置は、実施例のものに限るものではない。
例えば、画像表示部を内蔵せずに、静止画や動画による広告画像を外部の機器に対して画像（映像）信号として出力するものや、スピーカを内蔵せずに広告音声を外部の機器に対して音声信号として出力するものを含むものである。
もちろん、広告情報に基づいた画像信号のみを出力するものであってもよく、広告情報に基づいた音声信号のみを出力するものであってもよいことは言うまでもない。
【００６４】
本発明の実施例は、上述した構成及び手順に限定されるものではなく、本発明の要旨を逸脱しない範囲において変形例としてもよいのは言うまでもない。
【００６５】
実施例の広告情報出力装置５０は、照明手段となる光源６を内蔵したものであるが、光源６は、必ずしも内蔵されたものでなくてもよい。
【００６６】
例えば、図２２に示すように、光源６や出光部７などを含む照明ユニット５５を別体として装置５０における筐体１を有するその本体部５０Ｈに対して着脱可能な構成としてもよい。
この場合、例えば、両者を接続プラグ５５ａと接続ジャック５５ｊにより電気的に接続し、装着された照明手段の発光を本体部５０Ｈ側から制御することができる。
この構成によれば、使用者が、照明付き／無し、を導入時に選択できると共に、照明無しの装置を導入した後、必要に応じ、照明ユニットを追加するだけで照明明可能な構成にすることができる。
【００６７】
また、図２３に示すように、照明ユニット５５を、装置５０における本体部５０Ｈに対してフレキシブル連結するいわゆるフレキシブルパイプ５６を介して連結したものでもよい。
この場合、両者を、フレキシブルパイプ５６に配線したワイヤ５７を介して電気的に接続し、照明ユニット５５の発光を本体部５０Ｈ側から制御することができる。
このフレキシブルパイプ５６により、照明ユニット５５からの照明方向が任意に設定できるので、設置場所によらずさらに良好な照明を商品に対して行うことが可能となる
【００６８】
実施例の広告情報出力装置５０は、出光部７を、幅方向の中央部に１箇所配設したものであったが、もちろん、これに限るものではない。
いくつかの例を図２４に示すように、種々変形が可能である。
図２４（ａ）は、複数の出光部７を幅方向に並べて設けた例である。
図２４（ｂ）は、複数の出光部７を高さ方向に並べて設けた例である。
これらは、複数の出光部７を有することで、より明るい照明を行うことができるものである。
【００６９】
図２４（ｃ）は、背面の各隅部に傾斜面部４ａを設け、各傾斜面部４ａに出光部７を配設した例である。これは、一つの装置５０で、これを挟んで陳列された少なくとも２カ所の商品を照明することができるものである。
一方側の出光部７Ｌと他方側の出光部７Ｒとで独立した照明制御を行うことで、
独立して複数の商品の照明を同時に行うことができる。
もちろん、実施例や図２４（ｂ）のように中央部にも出光部７Ｃを設け、独立して照明を制御すれば、この装置５０の背後に陳列された商品を加えた３カ所の商品を同時に照明することができる。
【００７０】
広告する情報や照明制御のための情報が記憶されるメモリーカード１１は、情報記録媒体であればカードに限るものではない。
また、広告情報出力装置５０に、有線無線を問わず外部からの信号を受信できる受信手段を具備し、外部からの広告情報や照明制御情報を受信手段により受信して、広告情報を出力すると共に照明手段の発光を制御するよう構成してもよい。
また、制御手段１３による光の制御は、光源６の出光のみを制御するものに限らず、出光部７により、または、出光部と光源６との間に設けたフィルタなどにより、出光／遮光，光量，または，色調を制御するものでもよい。
【図面の簡単な説明】
【００７１】
【図１】本発明の広告情報出力装置５０の実施例を示す斜視図である。
【図２】本発明の広告情報出力装置５０の実施例を示す正面図である。
【図３】本発明の広告情報出力装置５０の実施例を示す右側面図である。
【図４】本発明の広告情報出力装置５０の実施例を示す底面図である。
【図５】本発明の広告情報出力装置５０の実施例を示す背面図である。
【図６】本発明の広告情報出力装置５０の実施例を示す上面図である。
【図７】本発明の広告情報出力装置５０の実施例を説明するためのブロック図である。
【図８】本発明の広告情報出力装置５０の実施例を示す断面図である。
【図９】本発明の広告情報出力装置５０の実施例を示す他の断面図である。
【図１０】本発明の広告情報出力装置５０の実施例を説明するための斜視図である。
【図１１】本発明の広告情報出力装置５０の実施例の設置状態について説明する図である。
【図１２】本発明の広告情報出力装置５０の実施例における要部を説明するための部分断面図である。
【図１３】本発明の広告情報出力装置５０の実施例における照明制御について説明するための第１の図である。
【図１４】本発明の広告情報出力装置５０の実施例における照明制御について説明するための第２の図である。
【図１５】本発明の広告情報出力装置５０の実施例における照明制御について説明するための第３の図である。
【図１６】本発明の広告情報出力装置５０の実施例における照明制御について説明するための第４の図である。
【図１７】本発明の広告情報出力装置５０の実施例における照明制御について説明するための第５の図である。
【図１８】本発明の広告情報出力装置５０の実施例における照明制御について説明するための第６の図である。
【図１９】本発明の広告情報出力装置５０の実施例の変形例を説明するためのブロック図である。
【図２０】本発明の広告情報出力装置５０の実施例についての設置状態を説明するための図ある。
【図２１】本発明の広告情報出力装置５０の実施例における照明について説明するための図である。
【図２２】本発明の広告情報出力装置５０の実施例における変形例を説明するための図である。
【図２３】本発明の広告情報出力装置５０の実施例における他の変形例を説明するための図である。
【図２４】本発明の広告情報出力装置５０の実施例におけるその他の変形例を説明するための図である。
【符号の説明】
【００７２】
１  筐体
１Ｆ  前筐体
１ＫＫ  開口部
１Ｂ  後筐体
１ＨＭ  背面
１Ｋ  分割部
１ＳＭ  側面
１ＳＹＭ  正面
１ＴＭ  底面
１ＷＢ  枠部
２  表示素子
２ａ  画像表示面
３  スピーカ
３ａ  音孔
４  傾斜面部
５ａ  音量調節ボリューム
５ｂ  入力端子
５ｃ  出力端子
５ｄ  電源入力部
５ｅ  蓋
５ｆ  ＬＥＤインジケータ
５ｇ  頭出しスイッチ
６  光源（ＬＥＤ）
７  出光部
７ａ  拡散板
８  液晶ドライブ基板
９  基板
１０  カードスロット
１１  メモリーカード
１２  デコーダ
１３  照明制御部
１４  固定具
１５  陳列棚
１６  雄ねじ
２０  雌ねじ
２１  商品
２１ａ  照明部位
２２  人感センサ
５０  広告情報出力装置
５０Ｈ  本体部
５５  照明ユニット
５５ａ  接続プラグ
５６  フレキシブルパイプ
５７  ワイヤ
７０  保持金具
７０ａ  腕部
７２  ベースブラケット
７３  ノブ
ＬＴ  （光源からの）光
ＳＬＴ  照明光
Ｓ１  音声信号
Ｓ２  静止画像信号
Ｓ３  動画像信号
Ｓ４  照明制御信号
【図１】
2008185675.tif 000003
【図２】
2008185675.tif 000004
【図３】
2008185675.tif 000005
【図４】
2008185675.tif 000006
【図５】
2008185675.tif 000007
【図６】
2008185675.tif 000008
【図７】
2008185675.tif 000009
【図８】
2008185675.tif 000010
【図９】
2008185675.tif 000011
【図１０】
2008185675.tif 000012
【図１１】
2008185675.tif 000013
【図１２】
2008185675.tif 000014
【図１３】
2008185675.tif 000015
【図１４】
2008185675.tif 000016
【図１５】
2008185675.tif 000017
【図１６】
2008185675.tif 000018
【図１７】
2008185675.tif 000019
【図１８】
2008185675.tif 000020
【図１９】
2008185675.tif 000021
【図２０】
2008185675.tif 000022
【図２１】
2008185675.tif 000023
【図２２】
2008185675.tif 000024
【図２３】
2008185675.tif 000025
【図２４】
2008185675.tif 000026